(57)【要約】【課題】  ユーザが容易に要約情報を生成し、登録することが可能な情報生成装置を提供する。【解決手段】  本発明の情報生成装置は、ユーザによりドラッグされたアイテムのドロップイベントを受け付けるドロップ受付装置１０１と、アイテムからデータを取得するデータ読込み装置１０２と、取得したデータから、このデータのフィードを生成するフィード生成装置１０３と、フィード生成装置１０３によって生成されたフィードを登録するフィード登録装置１０４とを備える。【選択図】  図１
2006318278.tif 000002
【特許請求の範囲】
【請求項１】
画面上に表示された選択対象の中からユーザにより選択された選択対象を受け付ける受付手段と、
前記選択対象からデータを取得するデータ読込み手段と、
前記取得したデータの一部又は要約の情報を少なくとも含む要約情報を生成する生成手段と、
前記生成手段によって生成された要約情報を登録する登録手段とを備える情報生成装置。
【請求項２】
前記取得されたデータから生成される要約情報が、前記登録手段に登録されているか否かを判定する第１の判定手段を備え、
前記生成手段は、前記第１の判定手段により、前記取得されたデータから生成される要約情報が、前記登録手段に登録されていない場合に、前記要約情報の生成を行う請求項１記載の情報生成装置。
【請求項３】
前記取得されたデータに、該データの要約情報又は前記要約情報へのリンクを含んでいるか否かを判定する第２の判定手段を備え、
前記生成手段は、前記取得されたデータに、該データの要約情報又は前記要約情報へのリンクを含んでいないと判定された場合に、該データの要約情報の生成を行い、
前記登録手段は、前記生成手段により生成された要約情報、前記取得されたデータに含まれる要約情報、又は、前記リンク先の要約情報を登録する請求項１記載の情報生成装置。
【請求項４】
前記選択対象は、ユーザによりドラッグされ、画面上に表示された受付手段にドロップされることにより選択され、
前記選択対象がドロップされた際の位置の情報を取得する位置情報取得手段を備え、
前記登録手段は、前記取得された位置と対応する、画面上に表示されたリスト上の位置に前記要約情報を登録する請求項１記載の情報生成装置。
【請求項５】
前記取得したデータに基づいて、前記要約情報の抽出規則をルールとして取得するルール取得手段と、
該取得されたルールを蓄積するルール蓄積手段とを備える請求項１記載の情報生成装置。
【発明の詳細な説明】
【技術分野】
【０００１】
本発明は、ネットワーク上のニュースやサイトの更新情報など、Ｗｅｂサイトの最新情報の収集に適した情報生成装置に関するものである。
【背景技術】
【０００２】
従来、情報を収集する技術としてフィード技術がある。このフィード技術は、メール・Ｗｅｂに次ぐ、第３のインターネットツールと呼ばれ、注目されている。ここで、フィードとは、一般的にはＸＭＬベースのフォーマットにより構造化されて記述されたＷｅｂサイトの見出しや要約などのメタデータである。本明細書では、Ｗｅｂページに記載された情報や配信元が配信しようとしている情報の、一部あるいは要約の情報を少なくとも含む情報を要約情報とし、この要約情報の中にフィードが含まれるとする。ただし、フィードとしてＸＭＬを用いないものも考えることができる。
【０００３】
このように、フィード技術は有用性が認められつつある。しかし、サイト側がフィードを配信するためには、ＣＭＳ（Ｃｏｎｔｅｎｔ  Ｍａｎａｇｅｍｅｎｔ  Ｓｙｓｔｅｍ）ツールなどの新たなシステムを導入しなければならず、現状のＷｅｂページの構成にも大きな変更が必要になるため、莫大なコストがかかる。
【０００４】
そのため、現在のインターネット上でフィードを配信しているサイトはまだ少なく、ユーザが欲しい情報を十分に取得できる環境には至っていない。そこで、Ｗｅｂページからフィードを生成する技術が重要になってきている。
【０００５】
現在のフィード生成技術には、Ｇｌｕｃｏｓｅのような、フィードリーダ型、ＭｙＲＳＳのようなサーバ型の２種類が存在する。フィードリーダ型は、あらかじめフィード化したいサイトのＨＴＭＬを解析し、フィード作成のルールをユーザが記述してフィードリーダに登録しておく。そして、ユーザがサイトにアクセスすると、フィードリーダはＨＴＭＬを読み込み、ルールに従って必要な部分を抜き出しフィード生成を行なう。
【０００６】
一方、サーバ型では、ユーザはフィードを生成したいサイトのＵＲＬを生成サーバに登録するだけでよく、生成処理はサーバ側で行われるため、ルール記述の必要がなく、ユーザは容易にフィードを取得することができる。
【特許文献１】特表２００４−５１４２２１号公報
【特許文献２】特開２００４−５４７５２号公報
【特許文献３】特表２００３−５０１７２５号公報
【特許文献４】特開２００１−２９７１０３号公報
【発明の開示】
【発明が解決しようとする課題】
【０００７】
しかし、フィードリーダ型のフィード生成方法では、フィードを生成するためのルールの記述が非常に難しいため、一般のユーザには普及していない。また、サーバ型の生成方法では、ルールの記述が不要な点で、誰でも容易に生成可能であるが、ＵＲＬの登録時と生成後のフィードの受け取りにサーバへのアクセスが必要になるため、Ｗｅｂ閲覧の自然な流れからの登録ができず、フィード登録の際に、ユーザに多くの手間がかかるという問題がある。
【０００８】
本発明では、ユーザが容易に要約情報を生成し、登録することが可能な情報生成装置を提供することを目的とする。
【課題を解決するための手段】
【０００９】
本発明の情報制生成装置は、
画面上に表示された選択対象の中からユーザにより選択された選択対象を受け付ける受付手段と、
前記選択対象からデータを取得するデータ読込み手段と、
前記取得したデータの一部又は要約の情報を少なくとも含む要約情報を生成する生成手段と、
前記生成手段によって生成された要約情報を登録する登録手段とを備える。
【００１０】
また、本発明の情報生成装置は、
前記取得されたデータから生成される要約情報が、前記登録手段に登録されているか否かを判定する第１の判定手段を備え、
前記生成手段は、前記第１の判定手段により、前記取得されたデータから生成される要約情報が、前記登録手段に登録されていない場合に、前記要約情報の生成を行う。
【００１１】
また、本発明の情報生成装置は、
前記取得されたデータに、該データの要約情報又は前記要約情報へのリンクを含んでいるか否かを判定する第２の判定手段を備え、
前記生成手段は、前記取得されたデータに、該データの要約情報又は前記要約情報へのリンクを含んでいないと判定された場合に、該データの要約情報の生成を行い、
前記登録手段は、前記生成手段により生成された要約情報、前記取得されたデータに含まれる要約情報、又は、前記リンク先の要約情報を登録する。
【００１２】
また、本発明の情報生成装置は、
前記選択対象は、ユーザによりドラッグされ、画面上に表示された受付手段にドロップされることにより選択され、
前記選択対象がドロップされた際の位置の情報を取得する位置情報取得手段を備え、
前記登録手段は、前記取得された位置と対応する、画面上に表示されたリスト上の位置に前記要約情報を登録する。
【００１３】
また、本発明の情報生成装置は、
前記取得したデータに基づいて、前記要約情報の抽出規則をルールとして取得するルール取得手段と、
該取得されたルールを蓄積するルール蓄積手段とを備える。
【発明の効果】
【００１４】
本発明は、ユーザが選択した選択対象を受付手段が受け付け、さらにこの選択対象から要約情報を生成しているため、ユーザは複雑なルールを記述することなく、ユーザは選択対象を選択するだけで、例えばＷｅｂ閲覧の自然な流れの中で、フィードなどの要約情報の生成及び登録が可能になる。
【００１５】
また、本発明は、第１の判定手段により要約情報が登録されているか否かを判定し、要約情報が登録されていない場合に生成手段が要約情報を生成して登録しているため、要約情報を２重に登録してしまうことを防止することができる。
【００１６】
また、本発明は、第２の判定手段により、取得されたデータに、このデータの要約情報又は要約情報へのリンクを含んでいないと判定された場合に、このデータの要約情報の生成を行うことにより、不要な要約情報の生成を防止することができる。
【００１７】
また、本発明は、位置情報取得手段が、例えば画面に表示されたアイテムなどの選択対象がドロップされた位置の情報を取得し、登録手段が、取得された位置に対応する位置に要約情報を登録することにより、要約情報の整理を行うことができる。
【００１８】
また、本発明は、ルール取得手段が、要約情報の抽出規則をルールとして取得し、ルール蓄積手段に蓄積しているため、要約情報を抽出する際にこのルールを用いることにより、迅速に要約情報を取得することができる。
【発明を実施するための最良の形態】
【００１９】
（第１の実施形態）
以下、図面を参照して本発明を実施するための最良の形態について説明する。以下の実施の形態の構成は例示であり、本発明は実施の形態の構成に限定されない。まず、本発明の情報生成装置の第１の実施形態について図面を参照して説明する。図１に、本発明の情報生成装置の第１の実施形態の構成図を示し、図２に、本発明の情報生成装置の第１の実施形態における、フィードを生成、登録する際の処理のフローチャートを示し、図３及び図４に、本発明の情報生成装置の第１の実施形態における、クライアント型フィードリーダによるフィードの生成の概念図を示す。以下に説明するように、本実施形態の情報生成装置は、ワンアクションのフィード生成登録技術に関するものである。
【００２０】
図１に示されるように、本発明の情報生成装置の第１の実施形態は、ユーザのマウス操作によって移動されたアイテムを受け付けるドロップ受付装置１０１と、ＵＲＬに示される位置のファイルからデータを読み込むデータ読込み装置１０２と、読み込んだデータからフィードを生成するフィード生成装置１０３と、生成されたフィードを登録するフィード登録装置１０４とを備える。
【００２１】
以下、ユーザがＷｅｂページからフィードを取得する手順について説明する。まず、ユーザは、端末を用いてフィードを取得したいページへアクセスする。そして、ユーザは、そのページのＵＲＬをドラッグする。
【００２２】
ドラッグできるアイテムとしては、ａ．フィードリーダのナビゲーションバー内のアイコンや、ｂ．Ｗｅｂブラウザのナビゲーションバー内のアイコンや、ｃ．ページ内のリンクがある（図３）。図３に示されるように、各アイテムは、ドロップ受付装置のフィードリスト上でドロップされる。
【００２３】
ユーザがアイテムをドロップ受付装置にドロップすると（Ｓ２０１）、データ読込み装置がドロップされたアイテムからＵＲＬを取り出し、そのＵＲＬが示すＷｅｂページのＨＴＭＬデータを取得する（Ｓ２０２）。図３に示されるように、端末の画面の一部がドロップ受付装置の画面上の表示となる。
【００２４】
次に、フィード生成装置によって取得したＨＴＭＬデータを解析し、既存の情報抽出／変換装置を用いて、フィードの生成を行なう（Ｓ２０３）。既存の情報抽出／変換装置は、ＨＴＭＬのタグや構成を解析して情報を抽出してフィードを生成する。フィード生成装置は、データが読み込めない、フィード化に必要な要素が存在しないなどが原因で生成に失敗した場合には、ユーザに失敗したことを通知するメッセージを表示して処理を終了する（Ｓ２０５）。
【００２５】
フィード登録装置は、フィードの生成に成功した場合には、生成されたフィードの登録を行なう（Ｓ２０４）。このとき、図４に示したように登録情報を示す問い合わせウインドウを開いてユーザに登録内容を表示して確認を求めても良い。以上が、本発明の情報生成装置の第１の実施形態のフィード生成登録技術の動作説明である。
【００２６】
このように、本発明の情報生成装置の第１の実施形態によれば、ユーザは、端末を用いてフィードを取得したいページへアクセスする。そして、ユーザは、フィード化したいサイトのＵＲＬ（アイコンまたはリンク）をドラッグし、ドロップ受付装置へドロップする。そして、本実施形態では、フィード生成装置によりフィードが生成され、フィードが端末に登録される。その結果、本実施形態では、ユーザが容易にフィードを生成し、端末に登録することができる。
【００２７】
（第２の実施形態）
次に、本発明の情報生成装置の第２の実施形態について図５及び図６を参照して説明する。図５に、本発明の情報生成装置の第２の実施形態の構成図を示し、図６に、本発明の情報生成装置の第２の実施形態における、フィードを生成、登録する際の処理のフローチャートを示す。なお、本実施形態においても、図３及び図４を用いて説明した、クライアント型フィードリーダによるフィードの生成の概念を適用することができる。
【００２８】
本実施形態の情報生成装置は、データ読込み装置によって読み込まれたデータをフィード生成装置に渡す前に、生成しようとしているフィードが端末にすでに登録されているか否かを登録フィード判定装置によって判定し、登録済みならば、ユーザにその旨のメッセージを表示して処理を終了し、登録されていなければ、後段のフィード生成へ進むものである。これにより、本実施形態は、フィードを２重に登録してしまうことを防ぐことができる。
【００２９】
図５に示されるように、本発明の情報生成装置の第２の実施形態は、ユーザのマウス操作によって移動されたアイテムを受け付けるドロップ受付装置５０１と、ＵＲＬに示される位置のファイルからデータを読み込むデータ読込み装置５０２と、読み込まれたデータに登録されたフィードが存在するか否かを判定する登録フィード判定装置５０３と、読み込んだデータからフィードを生成するフィード生成装置５０４と、生成されたフィードを登録するフィード登録装置５０５とを備える。
【００３０】
以下、ユーザがＷｅｂページからフィードを取得する手順について説明する。まず、ユーザは、端末を用いてフィードを取得したいページへアクセスする。そして、ユーザは、そのページのＵＲＬをドラッグする。
【００３１】
ドラッグできるアイテムとしては、ａ．フィードリーダのナビゲーションバー内のアイコンや、ｂ．Ｗｅｂブラウザのナビゲーションバー内のアイコンや、ｃ．ページ内のリンクがある（図３）。
【００３２】
ユーザがアイテムをドロップ受付装置にドロップすると（Ｓ６０１）、データ読込み装置がドロップされたアイテムからＵＲＬを取り出し、そのＵＲＬが示すＷｅｂページのＨＴＭＬデータを取得する（Ｓ６０２）。
【００３３】
次に、登録フィード判定装置は、生成しようとしているフィードが端末にすでに登録されているか否かを判定する。そして、登録フィード判定装置は、すでにフィードが登録済みである場合は（Ｙｅｓ）、登録済みのメッセージを画面に表示して動作を終了する（Ｓ６０６）。登録済みでない場合は（Ｎｏ）、Ｓ６０４へ移行する。
【００３４】
次に、フィード生成装置は、取得したＨＴＭＬデータを解析し、フィード化に必要な要素がどこに存在するかを調べてフィードの生成を行なう（Ｓ６０４）。フィード生成装置は、データが読み込めない、フィード化に必要な要素が存在しないなどが原因で生成に失敗した場合には、ユーザに失敗したことを通知するメッセージを表示して処理を終了する
（Ｓ６０７）。
【００３５】
フィード生成装置は、フィード生成に成功した場合、フィード登録装置によってフィードの登録を行なう（Ｓ６０５）。このとき、図４に示したように登録情報を示す問い合わせウインドウを開いてユーザに登録内容を表示して確認を求めても良い。以上が、本発明の情報生成装置の第２の実施形態のワンアクションフィード生成登録技術の動作説明である。
【００３６】
このように、本発明の情報生成装置の第２の実施形態によれば、ユーザは、前述の本発明の情報生成装置の第１の実施形態と同様の効果を得ることができると共に、フィードを２重に登録してしまうことを防ぐことができる。
【００３７】
（第３の実施形態）
次に、本発明の情報生成装置の第３の実施形態について、図７及び図８を参照して説明する。図７に、本発明の情報生成装置の第３の実施形態の構成図を示し、図８に、本発明の情報生成装置の第３の実施形態における、フィードを生成、登録する際の処理のフローチャートを示す。なお、本実施形態においても、図３及び図４を用いて説明した、クライアント型フィードリーダによるフィードの生成の概念を適用することができる。
【００３８】
本発明の情報生成装置の第３の実施形態は、データ読込み装置によって読み込まれたデータをフィード判定装置で解析し、フィードのデータを含んでいるか否か（あるいは、フィードへのリンクを持っている否か）を判定し、フィードのデータならば、登録処理へ進み、フィードでなければ生成処理へ進むものである。これにより、本実施形態は、フィードが発行されているサイトに対しては発行されているフィードを登録し、発行されていないサイトに関してはフィードを生成するようになる。その結果、端末の処理の負担を軽減することができる。
【００３９】
図７に示されるように、本発明の情報生成装置の第３の実施形態は、ユーザのマウス操作によって移動されたアイテムを受け付けるドロップ受付装置７０１と、ＵＲＬに示される位置のファイルからデータを読み込むデータ読み込み装置７０２と、読み込まれたデータにフィードが存在するか否かを判定するフィード判定装置７０３と、生成されたフィードを登録するフィード登録装置７０４と、読み込んだデータからフィードを生成するフィード生成装置７０５とを備える。
【００４０】
以下、ユーザがＷｅｂページからフィードを取得する手順について説明する。まず、ユーザは、端末を用いてフィードを取得したいページへアクセスする。そして、ユーザは、そのページのＵＲＬをドラッグする。
【００４１】
ドラッグできるアイテムとしては、ａ．フィードリーダのナビゲーションバー内のアイコンや、ｂ．Ｗｅｂブラウザのナビゲーションバー内のアイコンや、ｃ．ページ内のリンクがある（図３）。
【００４２】
ユーザがアイテムをドロップ受付装置にドロップすると（Ｓ８０１）、データ読込み装置がドロップされたアイテムからＵＲＬを取り出し、そのＵＲＬが示すＷｅｂページのＨＴＭＬデータを取得する（Ｓ８０２）。
【００４３】
次に、フィード判定装置は、取得したデータがフィードを含んでいるか否かを判定する。そして、フィードを含んでいない場合は（Ｎｏ）、フィード生成装置がフィードの生成を行う（Ｓ８０４）。そして、フィードの生成が失敗した場合は、フィード生成装置は、生成失敗のメッセージを表示して動作を終了する（Ｓ８０６）。また、フィードの生成が
成功した場合は、フィード登録装置がフィードの登録を行う（Ｓ８０５）。また、取得したデータがフィードを含んでいる場合は（Ｙｅｓ）、フィード登録装置がフィードの登録を行って（Ｓ８０５）、動作を終了する。なお、Ｓ８０３の判定を、データがフィードへのリンクを含んでいるか否かを判定しても良い。この場合、Ｓ８０５において、リンク先のフィードが登録される。
【００４４】
このように、本発明の情報生成装置の第３の実施形態によれば、ユーザは、前述の本発明の情報生成装置の第１の実施形態と同様の効果を得ることができると共に、フィードが発行されているサイトに対しては発行されているフィードを登録し、発行されていないサイトに関してはフィードを生成する。その結果、無駄なフィードを生成する必要がなくなり、端末の処理の負担を軽減することができる。
【００４５】
（第４の実施形態）
次に、本発明の情報生成装置の第４の実施形態について、図９及び図１０を参照して説明する。図９に、本発明の情報生成装置の第４の実施形態の構成図を示し、図１０に、本発明の情報生成装置の第４の実施形態における、フィードを生成、登録する際の処理のフローチャートを示す。なお、本実施形態においても、図３及び図４を用いて説明した、クライアント型フィードリーダによるフィードの生成の概念を適用することができる。
【００４６】
本発明の情報生成装置の第４の実施形態は、位置情報取得装置によって、アイテムをドロップ受付装置にドロップした位置を判定し記憶するものである。本実施形態は、後段のフィード登録処理の際に、画面に表示されたフィードのリスト上において、記憶した位置にもっとも近い登録場所にフィードを登録する（図４の右下部）。これにより、本実施形態は、フィードの登録位置の整理を登録と同時に行なえるようになる。
【００４７】
図９に示されるように、本発明の情報生成装置の第４の実施形態は、ユーザのマウス操作によって移動されたアイテムを受け付けるドロップ受付装置９０１と、アイテムのドロップ位置の情報を取得する位置情報取得装置９０２と、ＵＲＬに示される位置のファイルからデータを読み込むデータ読込み装置９０３と、読み込んだデータからフィードを生成するフィード生成装置９０４と、生成されたフィードを登録するフィード登録装置９０５とを備える。
【００４８】
以下、ユーザがＷｅｂページからフィードを取得する手順について説明する。まず、ユーザは、端末を用いてフィードを取得したいページへアクセスする。そして、ユーザは、そのページのＵＲＬをドラッグする。
【００４９】
ドラッグできるアイテムとしては、ａ．フィードリーダのナビゲーションバー内のアイコンや、ｂ．Ｗｅｂブラウザのナビゲーションバー内のアイコンや、ｃ．ページ内のリンクがある（図３）。
【００５０】
ユーザがアイテムをドロップ受付装置にドロップすると（Ｓ１００１）、位置情報取得装置は、ドロップされた位置を記憶する（Ｓ１００２）。そして、データ読込み装置がドロップされたアイテムからＵＲＬを取り出し、そのＵＲＬが示すＷｅｂページのＨＴＭＬデータを取得する（Ｓ１００３）。
【００５１】
次に、フィード生成装置は、フィードの生成を行う（Ｓ１００４）。そして、フィード生成装置は、フィードの生成が失敗した場合は、生成失敗のメッセージを表示して動作を終了する（Ｓ１００６）。また、フィード生成装置は、フィードの生成が成功した場合は、画面に表示されたリスト上において、ドロップ位置に最も近い場所にフィードの登録を行う（Ｓ１００５）。
【００５２】
このように、本発明の情報生成装置の第４の実施形態によれば、ユーザは、前述の本発明の情報生成装置の第１の実施形態と同様の効果を得ることができると共に、フィードの整理を登録と同時に行なえるようになる。
【００５３】
（第５の実施形態）
次に、本発明の情報生成装置の第５の実施形態について、図１１、図１２及び図１３を参照して説明する。図１１は、本発明の情報生成装置の第５の実施形態の構成図であり、図１２は、本発明の情報生成装置の第５の実施形態における、ＵＲＬとルールとの対応を示す概念図であり、図１３は、本発明の情報生成装置の第５の実施形態における、フィードを生成、登録する際の処理のフローチャートである。
【００５４】
本発明の情報生成装置の第５の実施形態は、フィード生成装置で使用されるＨＴＭＬからフィード化に必要なデータを抽出する方法をルール化し、フィード化を行なうサイトのＵＲＬとルールとをペアでルール蓄積装置に蓄積するものである（図１２）。すなわち、ルールには、ＨＴＭＬから抽出する情報を指定するタグの情報を記述する。そして、このルールにしたがってタグにより指定された情報が抽出されることによりフィードが生成される。なお、本実施形態においても、図３及び図４を用いて説明した、クライアント型フィードリーダによるフィードの生成の概念を適用することができる。
【００５５】
本実施形態は、ユーザがアイテムをドロップし、フィード生成の要求を行なった場合、まず、そのアイテムが示すＵＲＬがルール蓄積装置に蓄積されているかどうかを判定し、ない場合には、フィード生成装置でデータ抽出方法をルール化し新しくＵＲＬとルールを登録する。ある場合にはルール蓄積装置からＵＲＬに対応するルールをとりだす。本実施形態は、こうして用意したルールを使用してフィードの生成を行なうことにより、ユーザからの要求があるたびにＨＴＭＬを解析してフィードを生成するよりも、高速にフィードを生成することができる。
【００５６】
図１１に示されるように、本発明の情報生成装置の第５の実施形態は、ユーザのマウス操作によって移動されたアイテムを受け付けるドロップ受付装置１１０１と、ＵＲＬに示される位置のファイルからデータを読み込むデータ読込み装置１１０２と、読み込んだデータからフィードを生成するフィード生成装置１１０３と、生成されたフィードを登録するフィード登録装置１１０４と、フィード生成ルールを生成するフィード生成ルール取得装置１１０５と、生成されたルールを蓄積するルール蓄積装置１１０６とを備える。
【００５７】
以下、ユーザがＷｅｂページからフィードを取得する手順について説明する。まず、ユーザは、端末を用いてフィードを取得したいページへアクセスする。そして、ユーザは、そのページのＵＲＬをドラッグする。
【００５８】
ドラッグできるアイテムとしては、ａ．フィードリーダのナビゲーションバー内のアイコンや、ｂ．Ｗｅｂブラウザのナビゲーションバー内のアイコンや、ｃ．ページ内のリンクがある（図３）。
【００５９】
ユーザがアイテムをドロップ受付装置にドロップすると（Ｓ１３０１）、データ読込み装置がドロップされたアイテムからＵＲＬを取り出し、そのＵＲＬが示すＷｅｂページのＨＴＭＬデータを取得する（Ｓ１３０２）。
【００６０】
次に、フィード生成ルール取得装置は、アイテムに対するルールが存在するか否かを判定し（Ｓ１３０３）、ルールが存在する場合は（Ｙｅｓ）、そのルールによりフィードを生成し（Ｓ１３０６）、生成したフィードの登録を行い（Ｓ１３０７）、動作を終了する
。
【００６１】
また、フィード生成ルール取得装置は、アイテムに対するルールが存在しない場合は（Ｎｏ）、ルールの生成を行う（Ｓ１３０４）。そして、フィード生成ルール取得装置は、ルールの生成が失敗した場合は、ルールの生成失敗のメッセージを表示させ、動作を終了する（Ｓ１３０８）。また、フィード生成ルール取得装置は、ルールの生成が成功した場合は、ルール蓄積装置へ生成されたルールを蓄積する（Ｓ１３０５）。次に、フィード生成装置は、蓄積されたルールによりフィードの生成を行う（Ｓ１３０６）。そして、フィード登録装置は、生成されたフィードの登録を行う（Ｓ１３０７）、その後、動作を終了する。
【００６２】
このように、本発明の情報生成装置の第５の実施形態によれば、ユーザは、前述の本発明の情報生成装置の第１の実施形態と同様の効果を得ることができると共に、ページに対するルールを用意し、用意したルールを使用してフィードの生成を行なうことにより、ユーザからの要求があるたびにＨＴＭＬを解析してフィードを生成するよりも、高速にフィードを生成することができる。
【００６３】
（付記１）  画面上に表示された選択対象の中からユーザにより選択された選択対象を受け付ける受付手段と、
前記選択対象からデータを取得するデータ読込み手段と、
前記取得したデータの一部又は要約の情報を少なくとも含む要約情報を生成する生成手段と、
前記生成手段によって生成された要約情報を登録する登録手段とを備える情報生成装置。
【００６４】
（付記２）  前記取得されたデータから生成される要約情報が、前記登録手段に登録されているか否かを判定する第１の判定手段を備え、
前記生成手段は、前記第１の判定手段により、前記取得されたデータから生成される要約情報が、前記登録手段に登録されていない場合に、前記要約情報の生成を行う付記１記載の情報生成装置。
【００６５】
（付記３）  前記取得されたデータに、該データの要約情報又は前記要約情報へのリンクを含んでいるか否かを判定する第２の判定手段を備え、
前記生成手段は、前記取得されたデータに、該データの要約情報又は前記要約情報へのリンクを含んでいないと判定された場合に、該データの要約情報の生成を行い、
前記登録手段は、前記生成手段により生成された要約情報、前記取得されたデータに含まれる要約情報、又は、前記リンク先の要約情報を登録する付記１記載の情報生成装置。
【００６６】
（付記４）  前記選択対象は、ユーザによりドラッグされ、画面上に表示された受付手段にドロップされることにより選択され、
前記選択対象がドロップされた際の位置の情報を取得する位置情報取得手段を備え、
前記登録手段は、前記取得された位置と対応する、画面上に表示されたリスト上の位置に前記要約情報を登録する付記１記載の情報生成装置。
【００６７】
（付記５）  前記取得したデータに基づいて、前記要約情報の抽出規則をルールとして取得するルール取得手段と、
該取得されたルールを蓄積するルール蓄積手段とを備える付記１記載の情報生成装置。
【００６８】
（付記６）  前記要約情報が、フィードを含む付記１記載の情報生成装置。
【００６９】
（付記７）  画面上に表示された選択対象の中からユーザにより選択された選択対象を受け付ける受付工程と、
前記選択対象からデータを取得するデータ読込み工程と、
前記取得したデータの一部又は要約の情報を少なくとも含む要約情報を生成する生成工程と、
前記生成工程において生成された要約情報を登録手段に登録する登録工程とを備える情報生成方法。
【００７０】
（付記８）  前記要約情報が、フィードを含む付記７記載の情報生成方法。
【図面の簡単な説明】
【００７１】
【図１】本発明の情報生成装置の第１の実施形態の構成図である。
【図２】本発明の情報生成装置の第１の実施形態における、フィードを生成、登録する際の処理のフローチャートである。
【図３】本発明の情報生成装置の第１の実施形態における、クライアント型フィードリーダによるフィードの生成の概念図である。
【図４】本発明の情報生成装置の第１の実施形態における、クライアント型フィードリーダによるフィードの生成の概念図である。
【図５】本発明の情報生成装置の第２の実施形態の構成図である。
【図６】本発明の情報生成装置の第２の実施形態における、フィードを生成、登録する際の処理のフローチャートである。
【図７】本発明の情報生成装置の第３の実施形態の構成図である。
【図８】本発明の情報生成装置の第３の実施形態における、フィードを生成、登録する際の処理のフローチャートである。
【図９】本発明の情報生成装置の第４の実施形態の構成図である。
【図１０】本発明の情報生成装置の第４の実施形態における、フィードを生成、登録する際の処理のフローチャートである。
【図１１】本発明の情報生成装置の第５の実施形態の構成図である。
【図１２】本発明の情報生成装置の第５の実施形態における、ＵＲＬとルールとの対応を示す概念図である。
【図１３】本発明の情報生成装置の第５の実施形態における、フィードを生成、登録する際の処理のフローチャートである。
【符号の説明】
【００７２】
１０１  ドロップ受付装置
１０２  データ読込み装置
１０３  フィード生成装置
１０４  フィード登録装置
５０１  ドロップ受付装置
５０２  データ読込み装置
５０３  登録フィード判定装置
５０４  フィード生成装置
５０５  フィード登録装置
７０１  ドロップ受付装置
７０２  データ読込み装置
７０３  フィード判定装置
７０４  フィード登録装置
７０５  フィード生成装置
９０１  ドロップ受付装置
９０２  位置情報取得装置
９０３  データ読込み装置
９０４  フィード生成装置
９０５  フィード登録装置
１１０１  ドロップ受付装置
１１０２  データ読込み装置
１１０３  フィード生成装置
１１０４  フィード登録装置
１１０５  フィード生成ルール取得装置
１１０６  ルール蓄積装置
【図１】
2006318278.tif 000003
【図２】
2006318278.tif 000004
【図３】
2006318278.tif 000005
【図４】
2006318278.tif 000006
【図５】
2006318278.tif 000007
【図６】
2006318278.tif 000008
【図７】
2006318278.tif 000009
【図８】
2006318278.tif 000010
【図９】
2006318278.tif 000011
【図１０】
2006318278.tif 000012
【図１１】
2006318278.tif 000013
【図１２】
2006318278.tif 000014
【図１３】
2006318278.tif 000015